(57)【要約】【課題】ケーシングにバッテリを搭載してなる作動装置において、バッテリ交換が容易な構成とする。【解決手段】バッテリ１６ａにより警報作動する手動式シャッター装置の防犯装置５において、バッテリ１６ａは、ディスク状のバッテリ１６ａをバッテリホルダ１７に収容したバッテリユニット１６としてケーシング８に着脱自在に組み込む構成とする一方、前記バッテリユニット１６は、第二端子プレート１１ｂのスプリングバックによるケーシング８から押し出される方向の付勢力に抗してケーシング８に組み込み固定される構成とする。【選択図】図１０
2008077970.tif 000002
【特許請求の範囲】
【請求項１】
ケーシングにバッテリを搭載してなる作動装置において、バッテリは、ディスク状のバッテリをバッテリホルダに収容したバッテリユニットとしてケーシングに着脱自在に組み込まれるものとし、前記バッテリユニットは、ケーシングから押し出される方向の付勢力に抗してケーシングに組み込み固定されているバッテリ搭載型の作動装置におけるバッテリ構造。
【請求項２】
バッテリユニットは、バッテリに当接して電気的な接続をする端子プレートの弾性変形に基づく付勢力により付勢されている請求項１に記載のバッテリ搭載型の作動装置におけるバッテリ構造。
【請求項３】
バッテリは、保持手段を介してバッテリホルダに保持されている請求項１または２に記載のバッテリ搭載型の作動装置におけるバッテリ構造。
【請求項４】
バッテリユニットは、薄型長尺状に形成され、ケーシングに開設される長尺状の開口部の長手方向の長さよりも長く形成され、バッテリユニットの長尺方向一方の端部が、ケーシング開口部の前記一方の端部よりも一方側に位置して組み込まれている請求項１乃至３に記載のバッテリ搭載型の作動装置におけるバッテリ構造。
【請求項５】
バッテリユニットは、長尺方向他方の端部とケーシング開口部の他方の端部との対向部に設けた係止部によりケーシングに固定され、係止部の係止解除によりバッテリユニットの長尺方向他方の端部がケーシングから押し出されるように構成されている請求項４に記載のバッテリ搭載型の作動装置におけるバッテリ構造。
【請求項６】
作動装置は、建築物の開口部を開閉作動するシャッターカーテンを備えた建築用シャッター装置に設けられ、シャッターカーテンの抉じ開けを検知して警報作動する防犯装置であって、防犯装置は、薄型矩形状のケーシングを備え、シャッターカーテンの左右両側部の移動案内をするガイドレールの下端部に設けられている請求項１乃至５の何れか一項に記載のバッテリ搭載型の作動装置におけるバッテリ構造。
【発明の詳細な説明】
【技術分野】
【０００１】
本発明は、手動による操作に基づいて建築物の開口部を開閉作動するシャッターカーテンを備えた手動式建築用シャッター装置に設けられる防犯装置等のバッテリ搭載型の作動装置におけるバッテリ構造の技術分野に属するものである。
【背景技術】
【０００２】
一般に、バッテリを搭載してなる作動装置は、使用環境に応じて薄型ケーシングに収容されることがある。このような場合では、作動装置のコンパクト化を損なわないようディスク状のバッテリを用い、該バッテリをケーシング内に組み込むようにしているが、前記バッテリを新規のものに交換する等の場合に、従来では、治具を用いてケーシングの一部に形成されるカバー部を開放する等の作業が必要になり、交換作業が煩わしいという問題がある。
【０００３】
この改善策として、作動装置を構成する薄型ケーシングに、バッテリホルダを出没自在にスライド移動するように設け、前記バッテリホルダをケーシングから突出させる状態とすることによりバッテリを外部に露出させ、この状態でバッテリを新規のものに交換し、その後、バッテリホルダをバッテリ毎ケーシングに押し込むことでバッテリをケーシング内に組み込むようにしたものが提唱されている。
【特許文献１】特開２００４−１３４８３６
【発明の開示】
【発明が解決しようとする課題】
【０００４】
しかるに、前記従来のものにおいて、バッテリホルダはケーシングに対しスライド移動自在に設けられており、バッテリホルダの上面にバッテリを単に載せた状態でバッテリホルダをスライドさせてケーシングの所定位置にセットするようにしている。このため、薄型のケーシングに対してバッテリホルダをスライドさせること自体が難しいばかりでなく、バッテリホルダのバッテリ載置部位は、バッテリの外周部に相当する部位のみを支持するリング形状となっているため、バッテリがバッテリホルダから脱落しやすく、バッテリとともにバッテリホルダをケーシングに組み込む作業が一層難しくなるという問題がある。さらには、バッテリ交換をする際には、バッテリホルダの姿勢をバッテリが落下しないような姿勢にする必要があるため、作動装置がバッテリ載置側が上面とはならない姿勢で固定状に配置される場合では、作動装置を固定部位から予め取り外さなければバッテリ交換ができないという問題がある。
ところで、近年家宅侵入等の犯罪が多発しており、建築物の開口部に設けられる開閉装置に防犯装置を設けて、侵入者を検知して警報、威嚇作動して、内部への侵入を未然に防ぐことが提唱されている。しかるに、従来、電源を必要としない手動式のシャッター装置に防犯装置を設ける構成についての提唱はなく、電気配線が不要な防犯装置が望まれいるが、このような防犯装置を構成した場合、防犯装置にバッテリを搭載することが必要となるが、防犯装置は、開閉装置に固定的に設けられる構成となるため、バッテリ交換を容易に行える構成とするには前記従来のままのバッテリ構成では対応できず、ここに本発明の解決すべき課題がある。
【課題を解決するための手段】
【０００５】
本発明は、上記の如き実情に鑑みこれらの課題を解決することを目的として創作されたものであって、請求項１の発明は、ケーシングにバッテリを搭載してなる作動装置において、バッテリは、ディスク状のバッテリをバッテリホルダに収容したバッテリユニットとしてケーシングに着脱自在に組み込まれるものとし、前記バッテリユニットは、ケーシングから押し出される方向の付勢力に抗してケーシングに組み込み固定されているバッテリ搭載型の作動装置におけるバッテリ構造である。
請求項２の発明は、バッテリユニットは、バッテリに当接して電気的な接続をする端子プレートの弾性変形に基づく付勢力により付勢されている請求項１に記載のバッテリ搭載型の作動装置におけるバッテリ構造である。
請求項３の発明は、バッテリは、保持手段を介してバッテリホルダに保持されている請求項１または２に記載のバッテリ搭載型の作動装置におけるバッテリ構造である。
請求項４の発明は、バッテリユニットは、薄型長尺状に形成され、ケーシングに開設される長尺状の開口部の長手方向の長さよりも長く形成され、バッテリユニットの長尺方向一方の端部が、ケーシング開口部の前記一方の端部よりも一方側に位置して組み込まれている請求項１乃至３に記載のバッテリ搭載型の作動装置におけるバッテリ構造である。
請求項５の発明は、バッテリユニットは、長尺方向他方の端部とケーシング開口部の他方の端部との対向部に設けた係止部によりケーシングに固定され、係止部の係止解除によりバッテリユニットの長尺方向他方の端部がケーシングから押し出されるように構成されている請求項４に記載のバッテリ搭載型の作動装置におけるバッテリ構造である。
請求項６の発明は、作動装置は、建築物の開口部を開閉作動するシャッターカーテンを備えた建築用シャッター装置に設けられ、シャッターカーテンの抉じ開けを検知して警報作動する防犯装置であって、防犯装置は、薄型矩形状のケーシングを備え、シャッターカーテンの左右両側部の移動案内をするガイドレールの下端部に設けられている請求項１乃至５の何れか一項に記載のバッテリ搭載型の作動装置におけるバッテリ構造である。
【発明の効果】
【０００６】
請求項１の発明とすることにより、バッテリユニットのケーシングへの着脱作業が容易で、バッテリ交換の作業を簡単、かつ、容易に行える。
請求項２の発明とすることにより、部材の兼用化を果せて作動装置のコンパクト化ができる。
請求項３の発明とすることにより、バッテリユニットからバッテリが脱落する不具合がなく、ケーシングの姿勢にかかわらずバッテリユニットのケーシングへの着脱操作を操作性よく行える。
請求項４の発明とすることにより、バッテリユニットが装着不良のままになってしまうことがないようにできる。
請求項５の発明とすることにより、ケーシングからバッテリユニットを取り外す作業を容易に行える。
請求項６の発明とすることにより、バッテリ交換を容易に、しかも、確実に行えて、高い信頼性を備えた防犯装置とすることができる。
【発明を実施するための最良の形態】
【０００７】
つぎに、本発明の実施の形態について、図面に基づいて説明する。
図面において、１は躯体開口部に配されるサッシ窓Ｓの外方（屋外側）を開閉する手動式シャッター装置のシャッターカーテンであって、該シャッターカーテン１は、左右方向長尺状のスラット１ａの複数枚を揺動自在な状態で上下方向一連状に連結して構成されている。前記シャッターカーテン１の上端縁部は、複数の連結金具１ｂを介し、開口部上方の躯体に固定されるシャッターケース２に回転自在に内装される巻き取りドラム３に連結されている。そして、前記巻き取りドラム３には、シャッターカーテン１の自重にバランスする図示しないバランス弾機が弾装されており、シャッターカーテン１を手動操作することに基づいて、シャッターカーテン１の自重に基づく閉鎖作動がなされる一方、該閉鎖作動時に付勢されたバランス弾機の付勢力によりシャッターカーテン１の開放作動がなされるように構成されており、これらの基本構成は、何れも従来の手動式シャッター装置と同様の構成となっている。
【０００８】
４は、開口部の左右両側部を構成する躯体に一体的に固定される一対のガイドレールであって、各ガイドレール４は、それぞれ屋内外一対の溝側片４ａ、４ｂと、これら溝側片４ａ、４ｂとを連結する溝底片４ｃとにより構成されるガイド溝４ｄに、シャッターカーテン１の左右両側縁部を遊嵌させることにより、シャッターカーテン１の開閉作動の移動案内をするように構成されている。そして、これら左右のガイドレール４のうち、一方のガイドレール４（図１の内観正面図において左側であり、以後の説明は、図１における配設状態を基準として説明する）の屋内側溝側片４ａには、後述するように、下端部屋内側面に位置して本発明の作動装置に相当する防犯装置５が一体的に固定されている。
【０００９】
一方、前記シャッターカーテン１の下端部には座板１ｃが連結されており、該座板１ｃの屋内側面にはストッパ部材６が左右方向両端部に位置して設けられるが、これらストッパ部材６は、左右方向外端部がガイドレールガイド溝４ｄの溝開口に近接する状態で固定されている。前記各ストッパ部材６は、屋内側に突出する突片６ａがそれぞれ一体形成されており、これら突片６ａは、シャッターカーテン１の開放時に、シャッターケース２の下面により構成されるまぐさ２ａのうち、屋内側に位置するまぐさ２ａに当接することにより、シャッターカーテン１の上動規制をするように構成されている。そして、本実施の形態において、これらストッパ部材６のうち、防犯装置５配設側のストッパ部材６には、突片６ａの下方にマグネット７が設けられており、該マグネット７は、ガイドレール４側の端面７ａが外部に露出する状態でガイドレール４に配した防犯装置５に近接対向するように設けられている。
【００１０】
さて、前記防犯装置５は、上下方向（シャッターカーテン１の開閉方向）に長く、ガイドレール４の溝側片４ａ、４ｂよりも幅狭な左右幅を有し、屋内外方向幅が薄型に形成された薄型矩形状で上下方向に長いケーシング８に、後述する必要な部材を内装して構成されている。前記ケーシング８は、ガイドレール４に取り付けた状態で屋内側に位置する側片を底片９ａとし、該底面９ａの外周縁から屋外側に向けて延出する上下、左右の側片９ｂ、９ｃ、９ｄ、９ｅを備えたボックス体９と、該ボックス体９の開口を覆蓋し、屋外側に位置する側片としてのカバー体１０とにより構成されている。そして、防犯装置５は、ケーシング８（ボックス体９とカバー体１０）の上下に屋内外方向貫通状に形成された固定用貫通孔８ａ、８ｂを挿通する螺子８ｃを用いてガイドレール屋内側溝側片４ａに一体的に固定されている。
因みに、本実施の形態では、防犯装置５を左側のガイドレール４の屋内側溝側片４ａに設ける構成としているが、設置環境によっては、右側のガイドレールの屋内側に設けることも想定される。このため、本実施の形態の防犯装置５は、屋内外方向に貫通する固定用貫通孔８ａ、８ｂを用いてガイドレール４に固定する構成とすることにより、左右何れのガイドレール４にも固定することができるように構成されている。
【００１１】
前記ボックス体９の底片９ａには上下方向に三箇所に位置して仕切り片９ｆがそれぞれ形成されるとともに、制御基板１１が固定されている。前記仕切り片９ｆは、ケーシング８内の下方から上方に向けて四つの第一〜第四収容部８ｄ、８ｅ、８ｆ、８ｇに仕切っており、これら第一〜第四収容部８ｄ、８ｅ、８ｆ、８ｇには、後述するように、防犯装置５を構成するための各種部材が分散され、上下方向に並列状となって制御基板１１に固定されており、これら各種部材を制御基板１１に設けられる防犯制御回路に適宜電気的な接続を行うことにより、手動式シャッター装置の防犯装置５が構成されている。
【００１２】
前記ケーシング８の最下位に位置する第一収容部８ｄには検知センサ１２が設けられているが、該検知センサ１２は、全閉姿勢のシャッターカーテン１のマグネット７に対向する部位に位置するように設定されており、マグネット７を検知することによりシャッターカーテン１の全閉姿勢を検知して全閉検知信号を出力するように設定されている。さらに、第一収容部８ｄには、シャッターカーテン１の開閉作動状態に基づいて使用者や侵入者に対し警告作動、報知作動するブザー装置１３が設けられている。そして、該第一収容部８ｄを構成する右側片９ｅおよび下側片９ｃには複数の開口９ｇが開設されており、これら開口９ｇを介してブザー装置１３によるブザー音の放出がなされるように設定され、これら開口９ｇには、水、埃、虫等の異物の浸入を防止するためのスピーカーフィルター１４が一体に設けられている。ここで、ブザー装置１３は、発音口１３ａが開口９ｇとは反対側に向けくように組み込まれており、これによって、ブザー音を、ケーシング８の側片に反射する反射音を含めた拡大された音量で外部に放出するように構成されている。
【００１３】
第一収容部８ｄの上方の第二収容部８ｅには、マイクロコンピュータで構成される防犯制御部１５が設けられており、該第二収容部８ｅの上方の第三収容部８ｆに、防犯装置５に電源を供給するためのバッテリ１６ａを備え、本発明が実施されたバッテリユニット１６が組み込まれるように構成されている。
つまり、第三収容部８ｆを構成する右側片９ｅには、第三収容部８ｆにおける上下方向略全長にわたる部位を切り欠くことにより、上下方向長尺状の装着口（本発明の開口部に相当する）９ｈが形成されており、該装着口９ｈの下端縁にはケーシング８の内方（左側）に向けて突出する段差部９ｉが形成されている一方、装着口９ｈの上端縁は、ケーシング８の内方に向けて凹溝状の凹部９ｊが形成されている。そして、前記装着口９ｈを介してバッテリユニット１６がケーシング８に対して着脱自在に組み込まれるように設定されている。
【００１４】
前記バッテリユニット１６は薄型長尺状に形成されており、ケーシング８（ボックス体９）の装着口９ｈに内嵌状に嵌合して装着口９ｈを覆蓋するように形成されたベース部１７ａを備えたバッテリホルダ１７に、一対のバッテリ１６ａを収容することにより構成されている。
前記バッテリホルダ１７は、ベース部１７ａからケーシング８の内方に向けて延出し、前記一対のバッテリ１６ａを収容するホルダ部１７ｂが一体形成されており、該ホルダ部１７ｂは、各バッテリ１６ａの右側半部を各別に保持するための保持溝１７ｃが上下に隣接する状態で形成され、一対のバッテリ１６ａを上下方向隣接状に保持する薄型形状に構成されている。これら保持溝１７ｃを構成する屋内側片１７ｄは、各バッテリ１６ａの左側半部を露出させるべく切り欠き凹部１７ｅが形成されている一方、屋外側片１７ｆは、各バッテリ１６ａの屋外側面略全体を覆うべく、左方に向けて半円形状に突出する円形状部１７ｇが形成されている。さらに、前記屋外側片１７ｆのバッテリ１６ａに対向する部位には、右端部が屋内外方向に揺動自在となるよう三方を切り欠いて形成した切り欠き片１７ｈがそれぞれ形成されており、これら切り欠き片１７ｈの右端部には、屋内側に突出する突部１７ｉがそれぞれ一体的に形成されている。これによって、保持溝１７ｃにバッテリ１６ａを収容したとき、図７（Ｃ）に示すように、突部１７ｉがバッテリ１６ａに押しやられる弾性変形に基づいて、切り欠き片１７ｈがバッテリ１６ａを屋内側片１７ｄ側に向けて押しやるように弾圧状に当接することになって、バッテリ１６ａが保持溝１７ｃから脱落することなく保持溝１７ｃに保持された状態となるように設定されており、該構成が本発明の保持手段に相当している。
【００１５】
ここで、前記バッテリ１６ａは、ディスク形状に形成され、表裏一方の面（本実施の形態では屋内側の面）がマイナス極、他方の面（屋外側の面）と外周面とがプラス極に形成された汎用のものが用いられており、バッテリ１６ａのマイナス極側の面に偏寄した部位には段差部１６ｂが形成されている。これに対し、バッテリホルダ１７の各保持溝１７ｃの溝入口部から溝奥側部位には、各バッテリ１６ａの段差部１６ｂの形状に対応する段差受け部１７ｊが円弧状に形成されている。これによって、各バッテリ１６ａは、予め設定される姿勢、即ち、マイナス極が屋内側を向く姿勢でない限りバッテリホルダ１７に収容されないように設定されており、バッテリ１６ａが表裏方向において誤った姿勢でバッテリホルダ１７に収容される不具合をなくすように構成されている。
【００１６】
また、バッテリホルダ１７のベース部１７ａにおける下端部は、左側ほど下位に位置する傾斜面１７ｋに形成される一方、ベース部１７ａの上部には、上下方向への弾性変形が自在となるよう湾曲状に折り返し形成されたフック部１７ｍが一体形成されている。
一方、バッテリユニット１６のホルダ部１７ｂにおける上下方向の全長Ｈは、装着口９ｈの上下方向長さＨ１よりも長く形成されている。このため、バッテリユニット１６（バッテリホルダ１７）は、ガイドレール４に固定されるケーシング８に対して傾斜状とし、ホルダ部１７ｂ（バッテリユニット１６）の下方部位（一方の端部）を予め装着口９ｈから組み込み（挿し込み）、続いて、ホルダ部１７ｂの上方部位（他方の端部）を挿入させる手順で組み込まれることが必要となるように構成されている。これに対し、バッテリユニット１６の上方部位を装着口９ｈに突き当ててから下方部位を組み込んだ場合では、図１０（Ｂ）に示すように、バッテリホルダ１７の下端部が装着口９ｈの下端部に当接してケーシング８内に組み込むこと（挿入させること）ができないように構成されており、これによって、バッテリユニット１６の装着不良が確実に判断できて、誤った姿勢でケーシング８に取り付けられることがないように設定されている。
【００１７】
このように構成されたバッテリユニット１６をケーシング８に固定する場合では、図１０（Ａ）の仮想線で示すように、ホルダ部１７ｂの下方部位をケーシング８内に組み込み、前記ベース部１７ａ下端部の傾斜面１７ｋを装着口９ｈ下端部の段差部９ｉに突き当てて上端部が右方に位置する傾斜姿勢とし、この状態から、前記傾斜面１７ｋ部位を支点としてベース部１７ａの上方部位を装着口９ｈ側（左方）に向けて揺動させることにより、ホルダ部１７ｂの上方部位がケーシング８内に収容されるように設定されている。これによって、ホルダ部１７ｂの下方部位は、装着口９ｈの下縁部よりも下方に位置して組み込まれるように設定されている。
そして、ベース部１７ａの上方（他方の端部）に弾性変形自在に形成されたフック部１７ｍを、装着口９ｈの上方に形成された凹部９ｊに軽圧入することにより弾性変形させ、これによって、フック部１７ｍが凹部９ｊ内に嵌入するように設定されている。このとき、フック部１７ｍには係止爪１７ｎが形成される一方、凹部９ｊの開口側には係止受け部９ｋが形成されており、フック部１７ｍが凹部９ｊに嵌入することに伴い、係止爪１７ｎが係止受け部９ｋに係止して係止部を構成するように設定されている。そして、前記係止状態となることにより、バッテリユニット１６は、ベース部１７ａの外面が装着口９ｈの開口端面と面一状となる状態で装着口９ｈに内嵌され、かつ、第三収容部８ｆから外方への抜け止めがなされた状態で組み込まれる（装着される）ように設定されている。
【００１８】
さらに、ホルダ部１７ｂの右端側であって、ベース部１７ａとのあいだに位置する部位にはシール用凹溝１７ｐが形成されており、該シール用凹溝１７ｐに、シール材２２が嵌合されている。ここで、ホルダ部１７ｂの上下方向中間部には、屋内外方向に貫通する貫通孔１７ｑが開設されており、該貫通孔１７ｑ形成部位には、ベース部１７ａから左側に突出する状態で支持突部１７ｒが形成されている。一方、シール材２２は、シール用凹溝１７ｐに嵌合する矩形リング状の本体部２２ａと、該本体部２２ａの一方の長尺側側片の上下方向中間部からリング内に突出し、ベース部１７ａに形成された支持突部１７ｒに係止する係止孔２２ｂが形成された係止片部２２ｃとを備えて構成されている。そして、シール材２２は、係止孔２２ｂを支持突部１７ｒに係止させた状態で本体部２２ａをシール用凹溝１７Ｐに嵌入させることにより装着されている。これによって、バッテリユニット１６をケーシング８の装着口９ｈに組み込んだとき、装着口９ｈの周囲の隙間を塞いで該部位からケーシング８内に水や埃が浸入するのを防止するが、さらに、シール材２２は、係止孔２２ｂを支持突部１７ｒに係止させた状態で装着されることにより、バッテリホルダ１７からの外れ止めがなされた状態となっており、これによって、バッテリユニット１６をケーシング８に着脱操作する際に、シール材２２がバッテリホルダ１７から外れてしまうような不具合が防止されるように設定されている。
【００１９】
一方、１１ａ、１１ｂは第一、第二端子プレートであって、これら端子プレート１１ａ、１１ｂは、ケーシング８の屋内側（ボックス体底片９ａ）に配される制御基板１１に設けられる防犯制御回路に接続されるとともに、前記各バッテリ１６ａの所定の極に接続されるように設定されている。前記第一端子プレート１１ａは、基端部に制御基板１１を貫通して固定するための接続用脚片１１ｃが形成され、先端部に屋外側に向けて傾斜状に折曲された一対の折曲片１１ｄが形成されたものに構成されている。そして、前記各折曲片１１ｄは、バッテリホルダ１７の屋内側片１７ｄの切り欠き凹部１７ｅを介して露出するバッテリ１６ａの屋内側のディスク面（マイナス極）に当接するように構成されている。そして、第一端子プレート１１ａは、屋外方向への弾性を有した状態でバッテリ１６ａのディスク面に当接することにより、バッテリ１６ａに弾圧状に当接して確実な接続がなされるように設定されている。
【００２０】
また、第二端子プレート１１ｂは、各バッテリ１６ａのプラス極である外周面に当接するように設定されており、基端部に制御基板１１を貫通して固定するための接続用脚片１１ｅが形成され、該基端部から上方に向けて延出する延出片部１１ｆが形成されており、該延出片部１１ｆが基端部に対して左右方向への弾性変形自在な状態になっている。そして、第二端子プレート１１ｂは、延出片部１１ｆが上下方向を向き、先端部が左右方向に揺動自在となる状態で制御基板１１に固定されるが、このとき、自然状態の延出片部１１ｆの先端部は、図１０（Ａ）の仮想線で示すように、バッテリユニット１６が組み込まれたときのバッテリ１６ａの収容位置に干渉するように設けられている。これによって、第三収容部８ｆにバッテリユニット１６を組み込んでバッテリ１６ａを所定の収容姿勢とすることに伴い、延出片部１１ｆの先端部がバッテリ１６ａ外周面に弾圧状に当接することで確実な接続がなされるとともに、バッテリ１６ａが所定位置に位置するべく左側に押しやられることにより、延出片部１１ｆが大きくスプリングバック（弾性変形）するように設定されている。これによって、第二端子プレート１１ｂ（延出片部１１ｆの先端部）は、バッテリ１６ａを右方に向けて、即ち、バッテリユニット１６をケーシング８から押し出す方向に向けて付勢するように設定されている。尚、第二端子プレート１１ｂの延出片部１１ｆは、制御基板１１に対して直交する方向のプレート面を有して構成されており、延出片部１１ｆの先端がバッテリ１６ａとバッテリホルダ１７との両者に対向するように構成されている。これによって、第二端子プレート１１ｂは、バッテリ１６ａが抜き取られたバッテリホルダ１７を付勢することもできるように構成されている。
【００２１】
このように構成されたバッテリユニット１６が組み込まれた防犯装置５において、バッテリ１６ａが消耗して交換が必要になった場合では、バッテリユニット１６をケーシング８から取り外すが、このとき、フック部１７ｍを操作凹部１７ｓを介して下方に押し下げるように弾性変形させることにより、係止爪１７ｎと係止受け部９ｋとの係止が解除されるように設定されている。ここで、フック部１７ｍに形成される操作凹部１７ｓは、人の手指で操作できる大きさではなく、先端先細状の特殊治具を用いないと操作できないように構成されている。これによって、シャッターカーテン１の開放時に外部に露出する防犯装置５から、不審者がバッテリユニット１６を取り外すようなことを防止できるように構成されている。
前記係止解除状態になると、第二端子プレート１１ｂの延出片部１１ｆの先端部による付勢力を受けてバッテリ１６ａがバッテリユニット１６とともにケーシング８から押し出されるが、このとき、バッテリユニット１６は、装着口９ｈの下端縁よりも下方に位置するホルダ部１７ｂの下端部１７ｔが、装着口９ｈ下端部の段差部９ｉの先端縁から左方（ケーシング８内方向）に突出する状態で形成された支持片９ｒに当接しているため、バッテリユニット１６（バッテリホルダ１７）の下方部位がケーシング８から押し出されることはなく、ケーシング８との干渉がないバッテリユニット１６の上方部位が、ベース部１７ａ下端縁の傾斜面１７ｋを支点とする状態で揺動してケーシング８から押し出されるように設定されている。
これによって、ガイドレール４下端部に固定された防犯装置５からバッテリユニット１６を取り外す際に、バッテリ１６ａが取り付けられたままの状態のバッテリユニット１６の上方部位のみがケーシング８から飛び出した状態となるので、使用者は、前記飛び出した部位を把持することで、ケーシング８からバッテリユニット１６を簡単、かつ、容易に取り外すことができて、操作性のよい作業ができるように設定されている。
【００２２】
さらには、バッテリユニット１６の組み込みにより第二端子プレート１１ｂを大きくスプリングバックさせる構成とすることにより、バッテリユニット１６をケーシング８に組み込む過程で、バッテリユニット１６側の係止爪１７ｎをケーシング８側の係止受け部９ｋに係止させるまでは、バッテリユニット１６が第二端子プレート１１ｂによりケーシング８から押し出された状態となる。これによって、バッテリユニット１６が正常に組み込まれているか否か（装着不良）を、簡単、かつ、容易に目視判断することができて、使用者が誤った姿勢でケーシング８を取り付けることがなく、バッテリユニット１６の交換作業が確実、かつ、正確に実施されることになって、信頼性の高い防犯装置５を提供できるように構成されている。
【００２３】
また、ケーシング８の最上位に位置する第四収容部８ｇには、シャッターカーテン１の開閉作動状態に基づいて使用者や侵入者に対し警告作動、報知作動する発光ダイオード１８（報知灯）が収容されるとともに、マイクロスイッチで構成され、警告、報知作動するブザー装置１３や発光ダイオード１８の警告、報知作動を規制する報知規制スイッチ１９が設けられている。前記報知規制スイッチ１９は、スイッチ部１９ａを押し操作されることにより規制信号を出力するように構成されている。
尚、２０は、発光ダイオード１８の光を開口部上方に向けて照射する反射体であって、使用者への視認性を高めるように設けられている。
また、報知規制スイッチ１９のスイッチ部１９ａは、ケーシング８の右側片９ｅを切り欠いて形成したスイッチ操作体９ｐにより押圧操作するように構成されている。このとき、スイッチ操作体９ｐはスイッチ部１９ａよりも大きい外形状に形成され、これによって、スイッチ部１９ａの操作面積が大きくなって操作性が向上するように構成されている。さらに、スイッチ操作体９ｐは右方に向けて膨出して形成されている一方、第四収容部８ｇの右側片９ｅ全体に化粧シート材２１が貼着されている。前記化粧シート材２１のスイッチ操作体９ｐ対向部位は白色に彩色されており、その他の部位を黒色に彩色することによりスイッチ操作体９ｐの視認性を高めるように構成されているとともに、化粧シート材２１のスイッチ操作体９ｐ対向部位にエンボス加工を施すことにより、スイッチ操作体９ｐにおける感触が他部位と異なるように構成され、これによって、スイッチ操作体９ｐの操作性のさらなる向上が図れるように配慮されている。
【００２４】
そして、防犯装置５は、バッテリ１６ａにより電源供給を受け、制御基板１１上において防犯制御部１５に検知センサ１２、ブザー装置１３、報知規制スイッチ１９、発光ダイオード１８等、必要な部材をそれぞれ接続することにより、シャッターカーテン１の防犯制御を行うように設定されている。そして、防犯制御部１５は、検知センサ１２がストッパ部材６に固定されたマグネット７を検知して、シャッターカーテン１の全閉検知信号を入力することに伴い、防犯装置５の第四収容部８ｇの報知規制スイッチ１９のスイッチ部１９ａ（スイッチ操作体９ｐ）が押圧されることによる規制信号の入力がない状態で全閉検知信号の入力がなくなった場合では、これを抉じ開けと判断してブザー装置１３と発光ダイオード１８とをそれぞれ警報、報知作動させ、侵入者を威嚇するとともに居住者に報知するように設定されている。
また、規制信号の入力があって全閉検知信号の入力がなくなった場合では、これをシャッターカーテン１の通常の開放作動と判断して、ブザー装置１３、発光ダイオード１８の警報、報知作動を規制するように設定され、これによって、シャッターカーテン１の正常な使用状態と抉じ開け状態とを区別して、ブザー装置１３と発光ダイオード１８との作動状態を変化させ、信頼性の高い防犯装置５となっている。
【００２５】
叙述の如く構成された本形態において、電源配線のない手動式シャッター装置に対しバッテリ１６ａが搭載された防犯装置５を設ける構成としたので、配線作業等をすることなく簡単、かつ、容易に防犯装置５を取り付けることができ、手動式シャッター装置に高い防犯性を付与することが可能となる。しかも、この場合に、防犯装置５に搭載されるバッテリ１６ａは、バッテリホルダ１７に組み込まれてバッテリユニット１６に構成された状態で防犯装置５のケーシング８に組み込む構成としたので、バッテリ１６ａの交換をする際の取り外し、組み込み作業を容易に行うことができる。
そのうえ、このものにおいて、バッテリユニット１６は、ケーシング８から取り外される方向の付勢力に抗する状態でケーシング８に組み込み固定されているので、バッテリユニット１６を組み込む場合では、バッテリユニット１６が正常に組み込まれていない状態では、ケーシング８から押し出されて装着不良を容易に目視して確認することができ、また、ケーシング８から取り外す場合では、ケーシング８との固定解除でケーシング８から押し出された部位を把持することで容易に取り外すことができ、もって、バッテリユニット１６の着脱作業を一層確実、かつ、容易に行える。
【００２６】
このように、本発明が実施されたものにあっては、バッテリ１６ａをバッテリホルダ１７に収容してバッテリユニット１６としてケーシング８から着脱する構成としたので、着脱操作が容易にできるが、このものでは、バッテリユニット１６をケーシング８から押し出す方向に付勢する部材を第二端子プレート１１ｂにより構成したので、部材の兼用化を果せて防犯装置５のコンパクト化に寄与できる。
【００２７】
そのうえ、このものでは、バッテリホルダ１７に形成された切り欠き片１７ｈに突部１７ｉを形成することにより、バッテリ１６ａを支持溝１７ｃに弾持状に保持される構成としたので、バッテリユニット１６をケーシング８に対して着脱する際に、バッテリ１６ａが脱落するような不具合がなく、防犯装置５（作動装置）の姿勢を変えることができないような場合であっても、操作性よく着脱操作することができる。
【００２８】
しかも、このものでは、バッテリユニット１６の下方部位１７ｔが、装着口９ｈの下端縁よりも下方に位置するように組み込まれる構成となっているので、所定の組み込み手順とは異なる手順で組み込まれた場合では、ケーシング８に組み込むことができず、装着不良であるにもかかわらずバッテリユニット１６が納まってしまうようなことがないので、防犯装置５が不作動となるような不具合を未然に、かつ、確実になくすことができる。
【００２９】
そのうえ、このものでは、バッテリユニット１６とケーシング８とのあいだの上方部位に形成された係止部を解除した場合に、ホルダ部１７ｂの上方部位と装着口９ｈとの干渉がなくなるため、第二端子プレート１１ｂによりケーシング８から押し出されてケーシング８から取り出しやすくなるが、このものでは、さらに、ホルダ部１７ｂの下端部１７ｔが装着口９ｈの下端部に形成された支持片９ｒに係止しているので、バッテリユニット１６が不用意にケーシング８から脱落したりすることがない。これによって、防犯装置５がガイドレール４の下端部に固定されて、防犯装置５（作動装置）の姿勢を変えることができないような場合であっても、防犯装置５からバッテリユニット１６を取り外す作業を簡単、かつ、容易に行うことができる。
【００３０】
さらに、手動式シャッター装置の防犯装置５は、ガイドレール４の下端部に固定されるものであるうえ、ケーシング８が薄型コンパクト化されているため、バッテリ１６ａ交換の作業が難しくなるが、バッテリ１６ａは予めバッテリユニット１６として組み込まれて、バッテリユニット１６全体を着脱することができるので取り扱いが容易なうえ、バッテリユニット１６のケーシング８との係止解除に伴い、バッテリユニット１６がケーシング８から押し出されるため、取り外しが容易となって、防犯装置５をいちいち取り外すことなくバッテリ１６ａ交換を簡単に行うことができるる。しかも、ケーシング８に対してバッテリユニット１６が不正の姿勢のままになることはないので、バッテリ１６ａ交換をすることにより防犯装置５が不作動になるような不具合を確実に防止できる。
【図面の簡単な説明】
【００３１】
【図１】手動式シャッター装置のシャッターカーテンの一部を切り欠いた正面図である。
【図２】図２（Ａ）、（Ｂ）は手動式シャッター装置の一部を切り欠いた側面断面図、平面図である。
【図３】図３（Ａ）、（Ｂ）、（Ｃ）、（Ｄ）はそれぞれケーシングの正面図、側面図、背面図、底面図である。
【図４】図４（Ａ）、（Ｂ）、（Ｃ）はそれぞれ防犯装置の側面図、防犯装置からカバー体を取り外した状態の背面図、図４（Ｂ）のＸ−Ｘ断面図である。
【図５】図５（Ａ）、（Ｂ）、（Ｃ）、（Ｄ）、（Ｅ）はそれぞれボックス体の正面図、側面図、背面図、図５（Ｃ）におけるＸ−Ｘ断面図、図５（Ｂ）におけるＹ−Ｙ断面図である。
【図６】図６（Ａ）、（Ｂ）、（Ｃ）、（Ｄ）、（Ｅ）はそれぞれカバー体の正面図、側面図、背面図、図６（Ａ）のＸ−Ｘ断面図、底面図である。
【図７】図７（Ａ）、（Ｂ）、（Ｃ）はそれぞれバッテリユニットの正面図、背面図、平面図である。
【図８】図８（Ａ）、（Ｂ）、（Ｃ）はそれぞれバッテリユニットの右側面図、左側面図、図８（Ａ）におけるＸ−Ｘ断面図である。
【図９】図９（Ａ）、（Ｂ）、（Ｃ）、（Ｄ）はそれぞれシール材の正面図、側面図、図９（Ｂ）におけるＸ−Ｘ断面図、図９（Ｂ）におけるＹ−Ｙ断面図である。
【図１０】図１０（Ａ）、（Ｂ）はそれぞれバッテリユニットのケーシングへの組み込み状態を説明する一部を切り欠いた要部の正面図である。
【図１１】図１１（Ａ）、（Ｂ）、（Ｃ）、（Ｄ）、（Ｅ）、（Ｆ）はそれぞれ第一端子プレートの正面図、平面図、側面図、第二端子プレートの正面図、側面図、底面図である。
【符号の説明】
【００３２】
１    シャッターカーテン
４    ガイドレール
５    防犯装置
７    マグネット
８    ケーシング
９    ボックス体
９ｈ    装着口
９ｊ    凹部
９ｋ    係止受け部
１１    制御基板
１２    検知センサ
１３    ブザー装置
１５    防犯制御部
１６    バッテリユニット
１７    バッテリホルダ
１７ａ    ベース部
１７ｂ    ホルダ部
１７ｃ    保持溝
１７ｈ    切り欠き片
１７ｉ    突部
１７ｋ    傾斜面
１７ｍ    フック部
１７ｎ    係止爪
１８    発光ダイオード
１９    報知規制スイッチ
【図１】
2008077970.tif 000003
【図２】
2008077970.tif 000004
【図３】
2008077970.tif 000005
【図４】
2008077970.tif 000006
【図５】
2008077970.tif 000007
【図６】
2008077970.tif 000008
【図７】
2008077970.tif 000009
【図８】
2008077970.tif 000010
【図９】
2008077970.tif 000011
【図１０】
2008077970.tif 000012
【図１１】
2008077970.tif 000013